(57)【特許請求の範囲】
【請求項１】
第１の施設に配置された複数の臨床検体分析装置から送信される臨床検体の測定結果を管理するために前記第１の施設に配置された第１の測定結果管理装置が、前記第１の施設に配置された上位のコンピュータから、複数の測定項目を含む第１の測定オーダを受信する工程と、
第１の施設に配置された前記第１の測定結果管理装置が、前記第１の測定オーダに含まれる測定項目の全てが前記第１の施設に配置された臨床検体分析装置によって測定可能か否かを判断する工程と、
前記第１の施設に配置された臨床検体分析装置によって測定できない測定不可項目が前記第１の測定オーダに含まれている場合に、第１の施設に配置された前記第１の測定結果管理装置が、前記測定不可項目についての第２の測定オーダを、前記測定不可項目の測定が可能な臨床検体分析装置を備えた第２の施設に配置された第２の測定結果管理装置に送信する工程と、
前記第２の施設において、前記第２の測定結果管理装置が、前記第２の測定オーダを受信する工程と、
前記第２の施設に配置された臨床検体分析装置が、前記第２の測定オーダに含まれる前記測定不可項目を測定する工程と、
第２の施設に配置された前記第２の測定結果管理装置が、前記測定不可項目の測定結果を、第１の施設に配置された前記第１の測定結果管理装置に送信する工程と、
前記第１の施設において、前記第１の測定結果管理装置が、当該測定結果を受信する工程と、
を含む測定結果管理方法。
【請求項２】
第１の施設に配置された複数の臨床検体分析装置から送信される臨床検体の測定結果を管理するために前記第１の施設に配置された第１の測定結果管理装置と、
第２の施設に配置された複数の臨床検体分析装置から送信される臨床検体の測定結果を管理するために前記第２の施設に配置された第２の測定結果管理装置と、
を備える臨床検体の測定結果管理システムであって、
前記第１の測定結果管理装置は、
前記第１の施設に配置された上位のコンピュータから、複数の測定項目を含む第１の測定オーダを受信する第１測定オーダ受信手段と、
前記第１の測定オーダに含まれる測定項目の全てが前記第１の施設に配置された臨床検体分析装置によって測定可能か否かを判断する判断手段と、
前記第１の施設に配置された臨床検体分析装置によって測定できない測定不可項目が前記第１の測定オーダに含まれている場合に、前記測定不可項目についての第２の測定オーダを、前記第２の測定結果管理装置に送信する第２測定オーダ送信手段と、
前記第２の測定オーダに含まれる前記測定不可項目の測定結果を、前記第２の測定結果管理装置から受信する第１測定結果受信手段と、を備え、
前記第２の測定結果管理装置は、
前記第２の測定オーダを受信する第２測定オーダ受信手段と、
前記第２の測定オーダに含まれる前記測定不可項目の測定結果を前記第２の施設に配置された臨床検体分析装置から受信する第２測定結果受信手段と、
当該測定結果を前記第１の測定結果管理装置に送信する測定結果送信手段と、
を備える測定結果管理システム。
【請求項３】
複数の臨床検体分析装置から送信される臨床検体の測定結果を前記臨床検体分析装置が置かれた施設と同一施設において管理する測定結果管理装置であって、
同一施設に配置された上位のコンピュータから、複数の測定項目を含む第１の測定オーダを受信する第１測定オーダ受信手段と、
前記第１の測定オーダに含まれる測定項目の全てが、前記臨床検体分析装置によって測定可能か否かを判断する判断手段と、
当該施設において測定できない測定不可項目が前記第１の測定オーダに含まれている場合に、前記測定不可項目についての第２の測定オーダを、前記測定不可項目の測定が可能な臨床検体分析装置から送信される測定結果を他施設において管理する他施設測定結果管理装置に送信する第２測定オーダ送信手段と、
前記測定不可項目の測定結果を、当該他施設測定結果管理装置から受信する測定結果受信手段と、
を備える測定結果管理装置。
【請求項４】
前記他の施設の所在地情報を記憶する他施設情報記憶手段と、
前記測定不可項目が前記第１の測定オーダに含まれている場合に、前記他施設情報記憶手段から前記他の施設の所在地情報を抽出する他施設情報抽出手段と、
抽出された前記所在地情報を出力する出力手段と、をさらに備える請求項３記載の測定結果管理装置。
【請求項５】
前記出力手段は、前記測定不可項目が測定される臨床検体を前記他の施設に送付するための容器、または当該容器に貼付されるラベルに、前記所在地情報を印刷するための印刷装置である請求項４記載の測定結果管理装置。
【請求項６】
複数の臨床検体分析装置から送信される測定結果および前記他施設測定結果管理装置から送信される測定結果の受信を待機する測定結果受信待機手段と、
複数の臨床検体分析装置から送信される前記測定結果と、前記他施設測定結果管理装置から送信される前記測定結果とを受信すると、それらの測定結果を同一施設に配置された上位のコンピュータに送信する測定結果送信手段と、をさらに備える請求項３〜５のいずれか１項に記載の測定結果管理装置。
【請求項７】
前記測定結果管理装置は、臨床検体を前記複数の臨床検体分析装置に搬送する搬送装置に接続されており、
前記判断手段による判断結果に基づいて、臨床検体の搬送先を前記搬送装置に指示する指示手段をさらに備える請求項３〜６のいずれか１項に記載の測定結果管理装置。
【請求項８】
前記判断手段は、前記測定不可項目の測定が可能な臨床検体分析装置が、前記測定結果管理装置が配置された施設に配置されていない場合に、前記第１の測定オーダに含まれる測定項目の少なくとも１つが、前記測定結果管理装置が配置された施設において測定可能でないと判断する請求項３〜７のいずれか1項に記載の測定結果管理装置。
【請求項９】
前記判断手段は、前記測定不可項目の測定が可能な臨床検体分析装置が故障している場合に、前記第１の測定オーダに含まれる測定項目の少なくとも１つが、前記測定結果管理装置が配置された施設において測定可能でないと判断する請求項３〜８のいずれか1項に記載の測定結果管理装置。
【請求項１０】
複数の施設から、前記測定不可項目の測定が可能な前記他の施設を選択する他施設選択手段をさらに備え、
前記第２測定オーダ送信手段は、前記他施設選択手段によって選択された施設に配置された前記他施設測定結果管理装置に前記第２の測定オーダを送信する請求項３〜９のいずれか１項に記載の測定結果管理装置。
【請求項１１】
前記測定結果管理装置が配置された施設および前記他の施設は、病院である請求項３〜１０のいずれか１項に記載の測定結果管理装置。
【請求項１２】
前記測定結果管理装置が配置された施設は病院であり、前記他の施設は検査センターである請求項３〜１０のいずれか１項に記載の測定結果管理装置。
【請求項１３】
前記測定結果管理装置が配置された施設は病院であり、前記測定結果管理装置と同一施設に配置された上位のコンピュータは、前記病院の業務を管理するための病院情報管理装置または、前記病院の検査室の業務を管理するための検査室情報管理装置である請求項３〜１２のいずれか１項に記載の測定結果管理装置。
【発明の詳細な説明】
【技術分野】
【０００１】
本発明は、測定結果管理方法、測定結果管理システム、および測定結果管理装置に関する。測定結果管理装置は、複数の分析装置から送信される測定結果を管理する。
【背景技術】
【０００２】
従来から、複数の分析装置から送信される測定結果を管理する測定結果管理装置が知られている（例えば、特許文献１および特許文献２）。このような測定結果管理装置は、病院などの施設内の複数の分析装置から送信される測定結果を一括管理することができるため、検査業務の効率化に貢献する。
【０００３】
また、従来から、自施設にない分析装置による測定が必要な検体については、検査センターなどの他施設に検査を依頼することが行われている。さらに、このような検査の依頼を効率化するための検査依頼システムも知られている（例えば、特許文献３）。
【０００４】
【特許文献１】米国特許公開２００５−０１０２１６６号公報
【特許文献２】米国特許公開２００５−０１３１７３４号公報
【特許文献３】特開２００２−７５６５号公報
【発明の開示】
【発明が解決しようとする課題】
【０００５】
上記特許文献１および特許文献２の測定結果管理装置によると、自施設にない分析装置による測定が必要な検体については、検査技師は、検査依頼票を作成し、他施設に検査を依頼する必要があった。この場合、上記特許文献３の検査依頼システムを使用すれば、検査依頼票の作成を効率化することはできるものの、検査技師は、どの測定項目についての検査依頼が必要であるかを判断し、検査依頼のために必要なデータを入力する必要があった。また、検査技師は、検査センターなどから入手した測定結果を、上記測定結果管理装置に入力する必要もあった。
【０００６】
本発明は、検査依頼を受けた測定項目について自施設で測定可能か否かを判断し、自施設で測定できる項目は自施設にて測定し、自施設で測定できない項目は他施設へ検査依頼することで、検査技師の負担を軽減させることができる測定結果管理方法、測定結果管理システム、および測定結果管理装置を提供する。
【課題を解決するための手段】
【０００７】
この発明の第１の局面による臨床検体の測定結果管理方法は、第１の施設に配置された複数の臨床検体分析装置から送信される臨床検体の測定結果を管理するために前記第１の施設に配置された第１の測定結果管理装置が、前記第１の施設に配置された上位のコンピュータから、複数の測定項目を含む第１の測定オーダを受信する工程と、第１の施設に配置された前記第１の測定結果管理装置が、前記第１の測定オーダに含まれる測定項目の全てが前記第１の施設に配置された臨床検体分析装置によって測定可能か否かを判断する工程と、前記第１の施設に配置された臨床検体分析装置によって測定できない測定不可項目が前記第１の測定オーダに含まれている場合に、第１の施設に配置された前記第１の測定結果管理装置が、前記測定不可項目についての第２の測定オーダを、前記測定不可項目の測定が可能な臨床検体分析装置を備えた第２の施設に配置された第２の測定結果管理装置に送信する工程と、前記第２の施設において、前記第２の測定結果管理装置が、前記第２の測定オーダを受信する工程と、前記第２の施設に配置された臨床検体分析装置が、前記第２の測定オーダに含まれる前記測定不可項目を測定する工程と、第２の施設に配置された前記第２の測定結果管理装置が、前記測定不可項目の測定結果を、第１の施設に配置された前記第１の測定結果管理装置に送信する工程と、前記第１の施設において、前記第１の測定結果管理装置が、当該測定結果を受信する工程と、を含む。
【０００８】
測定結果管理方法をこのように構成することにより、他施設への検査の依頼および他施設からの測定結果の受信が効率化される。従って、検査技師の負担を軽減させることができる。
【０００９】
この発明の第２の局面による臨床検体の測定結果管理システムは、第１の施設に配置された複数の臨床検体分析装置から送信される臨床検体の測定結果を管理するために前記第１の施設に配置された第１の測定結果管理装置と、第２の施設に配置された複数の臨床検体分析装置から送信される臨床検体の測定結果を管理するために前記第２の施設に配置された第２の測定結果管理装置と、を備える臨床検体の測定結果管理システムであって、前記第１の測定結果管理装置は、前記第１の施設に配置された上位のコンピュータから、複数の測定項目を含む第１の測定オーダを受信する第１測定オーダ受信手段と、前記第１の測定オーダに含まれる測定項目の全てが前記第１の施設に配置された臨床検体分析装置によって測定可能か否かを判断する判断手段と、前記第１の施設に配置された臨床検体分析装置によって測定できない測定不可項目が前記第１の測定オーダに含まれている場合に、前記測定不可項目についての第２の測定オーダを、前記第２の測定結果管理装置に送信する第２測定オーダ送信手段と、前記第２の測定オーダに含まれる前記測定不可項目の測定結果を、前記第２の測定結果管理装置から受信する第１測定結果受信手段と、を備え、前記第２の測定結果管理装置は、前記第２の測定オーダを受信する第２測定オーダ受信手段と、前記第２の測定オーダに含まれる前記測定不可項目の測定結果を前記第２の施設に配置された臨床検体分析装置から受信する第２測定結果受信手段と、当該測定結果を前記第１の測定結果管理装置に送信する測定結果送信手段と、を備える。
【００１０】
測定結果管理システムをこのように構成することにより、他施設への検査の依頼および他施設からの測定結果の受信が効率化される。従って、検査技師の負担を軽減させることができる。
【００１１】
この発明の第３の局面による測定結果管理装置は、複数の臨床検体分析装置から送信される臨床検体の測定結果を前記臨床検体分析装置が置かれた施設と同一施設において管理する測定結果管理装置であって、同一施設に配置された上位のコンピュータから、複数の測定項目を含む第１の測定オーダを受信する第１測定オーダ受信手段と、前記第１の測定オーダに含まれる測定項目の全てが、前記臨床検体分析装置によって測定可能か否かを判断する判断手段と、当該施設において測定できない測定不可項目が前記第１の測定オーダに含まれている場合に、前記測定不可項目についての第２の測定オーダを、前記測定不可項目の測定が可能な臨床検体分析装置から送信される測定結果を他施設において管理する他施設測定結果管理装置に送信する第２測定オーダ送信手段と、前記測定不可項目の測定結果を、当該他施設測定結果管理装置から受信する測定結果受信手段と、を備える。
【００１２】
測定結果管理装置をこのように構成することにより、他施設への検査の依頼および他施設からの測定結果の受信が効率化される。従って、検査技師の負担を軽減させることができる。
【００１３】
第３の局面による測定結果管理装置において、前記他の施設の所在地情報を記憶する他施設情報記憶手段と、前記測定不可項目が前記第1の測定オーダに含まれている場合に、前記他施設情報記憶手段から前記他の施設の所在地情報を抽出する他施設情報抽出手段と、抽出された前記所在地情報を出力する出力手段と、をさらに備えてもよい。前記所在地情報を出力することにより、検査技師は、測定不可項目の測定が必要な検体の送付先を容易に把握することができる。
【００１４】
この場合、前記出力手段は、前記測定不可項目が測定される臨床検体を前記他の施設に送付するための容器、または当該容器に貼付されるラベルに、前記所在地情報を印刷するための印刷装置であってもよい。測定結果管理装置をこのように構成することにより、臨床検体の送付先が臨床検体を収容する容器またはラベルに自動的に印刷されるので、検査技師が臨床検体の送付先を記載する必要がなくなる。
【００１５】
第３の局面による測定結果管理装置において、複数の臨床検体分析装置から送信される測定結果および前記他施設測定結果管理装置から送信される測定結果の受信を待機する測定結果受信待機手段と、複数の臨床検体分析装置から送信される前記測定結果と、前記他施設測定結果管理装置から送信される前記測定結果とを受信すると、それらの測定結果を同一施設に配置された上位のコンピュータに送信する測定結果送信手段と、をさらに備えてもよい。複数の臨床検体分析装置から送信される測定結果および前記他施設測定結果管理装置から送信される測定結果の受信を待機することにより、これらの測定結果をまとめて１度に同一施設に配置された上位のコンピュータに送信することができるので、測定結果管理装置および上位のコンピュータによる測定結果の送受信処理が簡略化される。
【００１６】
第３の局面による測定結果管理装置において、前記測定結果管理装置は、臨床検体を前記複数の臨床検体分析装置に搬送する搬送装置に接続されており、前記判断手段による判断結果に基づいて、臨床検体の搬送先を前記搬送装置に指示する指示手段をさらに備えてもよい。測定結果管理装置をこのように構成することにより、他施設への送付が必要な臨床検体を、他の臨床検体から自動的に仕分けることが可能となる。
【００１７】
第３の局面による測定結果管理装置において、前記判断手段は、前記測定不可項目の測定が可能な臨床検体分析装置が、前記測定結果管理装置が配置された施設に配置されていない場合に、前記第1の測定オーダに含まれる測定項目の少なくとも１つが、前記測定結果管理装置が配置された施設において測定可能できないと判断してもよい。測定結果管理装置をこのように構成することにより、前記測定不可項目の測定が可能な臨床検体分析装置が、前記測定結果管理装置が配置された施設に配置されていない場合の他の施設への検査の依頼業務が効率化される。
【００１８】
第３の局面による測定結果管理装置において、前記判断手段は、前記測定不可項目の測定が可能な臨床検体分析装置が故障している場合に、前記第1の測定オーダに含まれる測定項目の少なくとも１つが、前記測定結果管理装置が配置された施設において測定可能できないと判断してもよい。測定結果管理装置をこのように構成することにより、臨床検体分析装置が故障して他の施設に検査を依頼する必要がある場合の、他の施設への検査の依頼業務が効率化される。
第３の局面による測定結果管理装置において、複数の施設から、前記測定不可項目の測定が可能な前記他の施設を選択する他施設選択手段をさらに備え、前記第2測定オーダ送信手段は、前記他施設選択手段によって選択された施設に配置された前記他施設測定結果管理装置に前記第2オーダを送信してもよい。測定結果管理装置をこのように構成することにより、検査を依頼する施設を自動的に決定することができるので、検査技師が検査を依頼する施設を決定する必要がなくなり、他の施設への検査の依頼業務が効率化される。
【００１９】
第３の局面による測定結果管理装置において、前記測定結果管理装置が配置された施設および前記他の施設は、病院であってもよい。第３の局面による測定結果管理装置において、前記測定結果管理装置が配置された施設は病院であり、前記他の施設は検査センターであってもよい。第３の局面による測定結果管理装置において、前記測定結果管理装置が配置された施設は病院であり、前記測定結果管理装置と同一施設に配置された前記上位のコンピュータは、前記病院の業務を管理するための病院情報管理装置または、前記病院の検査室の業務を管理するための検査室情報管理装置であってもよい。
【発明を実施するための最良の形態】
【００２２】
以下、本発明の実施の形態に係る測定結果管理方法、測定結果管理システム、および測定結果管理装置について、図面を参照しながら具体的に説明する。
図１は、本発明の一実施の形態に係る測定結果管理装置の配置例を示している。病院Ａには、病院情報管理システム（ＨＩＳ：Hospital Information System）１−Ａ、検査室情報管理システム（ＬＩＳ：Laboratory Information System）２−Ａ、測定結果管理装置（以下、測定結果管理装置を管理装置とよぶ）３−Ａ、プリンタ４−Ａ、血球計数装置５−Ａ、血液凝固測定装置６−Ａ、免疫測定装置７−Ａ、生化学測定装置８−Ａ、尿分析装置９−Ａ、および、搬送装置１０−Ａが配置されている。これらのうち、検査室情報管理システム２−Ａ、管理装置３−Ａ、プリンタ４−Ａ、血球計数装置５−Ａ、血液凝固測定装置６−Ａ、免疫測定装置７−Ａ、生化学測定装置８−Ａ、尿分析装置９−Ａ、および、搬送装置１０−Ａは、検査室１４−Ａ内に配置されている。
【００２３】
病院情報管理システム１−Ａは、病院Ａの業務全般を管理するためのコンピュータであり、例えば電子カルテなどが記憶されており、医師は、この病院情報管理システム１−Ａに、測定オーダを入力する。測定オーダには、後述するように、患者名、検体番号、検査が必要な測定項目などの情報が含まれる。病院情報管理システム１−Ａは、検査室情報管理システム２−Ａに接続されており、医師によって入力された測定オーダを、検査室情報管理システム２−Ａに送信する。
検査室情報管理システム２−Ａは、検査室１４−Ａ全体を管理するためのコンピュータであり、検査室の収益管理や検査の対価の請求額の管理などを行う。また、検査室情報管理システム２−Ａは、病院情報管理システム１−Ａから送信される測定オーダを受信する。検査室情報管理システム２−Ａは、管理装置３−Ａに接続されており、当該測定オーダを管理装置３−Ａに送信する。
【００２４】
管理装置３−Ａは、検体の測定結果を管理するコンピュータであり、検査室情報管理システム２−Ａから送信される測定オーダを受信し、記憶する。また、管理装置３−Ａは、複数の分析装置５−Ａ〜９−Ａに接続されており、複数の分析装置５−Ａ〜９−Ａから送信される測定結果を受信し、再検要否のチェック、バリデーションなどの処理を行った後、当該測定結果を検査室情報管理システム２−Ａに送信する。検査室情報管理システム２−Ａに送信された測定結果は、さらに、病院情報管理システム１−Ａに送信され、医師に報告される。
プリンタ４−Ａは、管理装置３−Ａに接続されている。プリンタ４−Ａは、管理装置３−Ａから送信される情報に基づき、他の病院に送付される検体を収容した検体容器を収容する容器に貼付される宛先ラベルに、当該他の病院の名称・住所などの所在地情報を印刷する。
【００２５】
血球計数装置５−Ａは、血液中の血球数やヘモグロビン量などを計数する装置であり、例えば、ＸＥ−２１００（シスメックス株式会社製）が用いられる。
血液凝固測定装置６−Ａは、血液の凝固能力を測定する装置であり、例えば、ＣＳ−２０００ｉ（シスメックス株式会社製）が用いられる。
免疫測定装置７−Ａは、所定の抗原や抗体を測定する装置であり、例えば、ＰＡＭＩＡ−４０ｉ（シスメックス株式会社製）が用いられる。
生化学測定装置８−Ａは、血清中に存在している各種物質（ＡＳＴ，ＡＬＴ，ＨＤＬ，ＬＤＬ，中性脂肪など）を測定する装置である。
尿分析装置９−Ａは、尿中の成分を分析する装置であり、例えば、ＵＦ−１０００ｉ（シスメックス株式会社製）が用いられる。
【００２６】
搬送装置１０−Ａは、検体を収容した検体容器（ここでは、検体とよぶ）を複数の分析装置５−Ａ〜９−Ａに搬送する装置である。搬送装置１０−Ａは、搬送部１１−Ａと、送付不要検体保管部１２−Ａと、要送付検体保管部１３−Ａと、を備える。搬送部１１−Ａは、検体を複数の分析装置５−Ａ〜９−Ａに搬送する。また、搬送部１１−Ａは、管理装置３−Ａと接続されており、管理装置３−Ａからの情報に基づき、検体を、送付不要検体保管部１２−Ａまたは要送付検体保管部１３−Ａに供給する。送付不要検体保管部１２−Ａは、分析装置５−Ａ〜９−Ａで測定され、検査が必要な測定項目の測定結果が全て得られている検体を保管する装置であり、要送付検体保管部１３−Ａは、検査が必要な測定項目の測定結果の一部または全部が得られておらず、他施設での検査が必要な検体を保管する装置である。
【００２７】
病院Ｂには、病院情報管理システム１−Ｂ、検査室情報管理システム２−Ｂ、管理装置３−Ｂ、プリンタ４−Ｂ、血球計数装置５−Ｂ、血液凝固測定装置６−Ｂ、生化学測定装置８−Ｂ、尿分析装置９−Ｂ、および、搬送装置１０−Ｂが配置されている。この病院Ｂには、免疫測定装置は配置されていない。なお、それぞれの装置の構成については、病院Ａで説明したものと同様であるので、説明を省略する。
【００２８】
病院Ｃには、病院情報管理システム１−Ｃ、検査室情報管理システム２−Ｃ、管理装置３−Ｃ、プリンタ４−Ｃ、血球計数装置５−Ｃ、免疫測定装置７−Ｃ、生化学測定装置８−Ｃ、尿分析装置９−Ｃ、および、搬送装置１０−Ｃが配置されている。この病院Ｃには、血液凝固測定装置は配置されていない。なお、それぞれの装置の構成については、病院Ａで説明したものと同様であるので、説明を省略する。
管理装置３−Ａ、管理装置３−Ｂ、および管理装置３−Ｃは、インターネットなどのネットワークＮＷを介して接続されている。
【００２９】
図２を使用して、管理装置３−Ａのハードウェア構成を説明する。管理装置３−Ａは、本体１１０と、ディスプレイ１２０と、入力デバイス１３０とから主として構成されたコンピュータによって構成されている。
本体１１０は、ＣＰＵ１１０ａと、ＲＯＭ１１０ｂと、ＲＡＭ１１０ｃと、ハードディスク１１０ｄと、読出装置１１０ｅと、入出力インタフェース１１０ｆと、画像出力インタフェース１１０ｈと、通信インタフェース１１０ｊとから主として構成されており、ＣＰＵ１１０ａ、ＲＯＭ１１０ｂ、ＲＡＭ１１０ｃ、ハードディスク１１０ｄ、読出装置１１０ｅ、入出力インタフェース１１０ｆ、画像出力インタフェース１１０ｈ、および通信インタフェース１１０ｊは、バス１１０ｉによってデータ通信可能に接続されている。
【００３０】
ＣＰＵ１１０ａは、ＲＯＭ１１０ｂに記憶されているコンピュータプログラム及びＲＡＭ１１０ｃにロードされたコンピュータプログラムを実行することが可能である。そして、アプリケーションプログラム１４０ａを当該ＣＰＵ１１０ａが実行することにより、後述するような各機能ブロックが実現され、コンピュータが管理装置３−Ａとして機能する。アプリケーションプログラム１４０ａには、自施設検体処理プログラム１４１および他施設検体処理プログラム１４２が含まれている。これらの詳細については、後述する。
ＲＯＭ１１０ｂは、マスクＲＯＭ、ＰＲＯＭ、ＥＰＲＯＭ、ＥＥＰＲＯＭ等によって構成されており、ＣＰＵ１１０ａに実行されるコンピュータプログラムおよびこれに用いるデータ等が記録されている。
【００３１】
ＲＡＭ１１０ｃは、ＳＲＡＭ又はＤＲＡＭ等によって構成されている。ＲＡＭ１１０ｃは、ＲＯＭ１１０ｂ及びハードディスク１１０ｄに記録されているコンピュータプログラムの読み出しに用いられる。また、これらのコンピュータプログラムを実行するときに、ＣＰＵ１１０ａの作業領域として利用される。
ハードディスク１１０ｄは、オペレーティングシステム及びアプリケーションプログラム等、ＣＰＵ１１０ａに実行させるための種々のコンピュータプログラム及び当該コンピュータプログラムの実行に用いるデータがインストールされている。
【００３２】
読出装置１１０ｅは、フレキシブルディスクドライブ、ＣＤ−ＲＯＭドライブ、又はＤＶＤ−ＲＯＭドライブ等によって構成されており、可搬型記録媒体１４０に記録されたコンピュータプログラム又はデータを読み出すことができる。また、可搬型記録媒体１４０には、コンピュータを本発明のシステムとして機能させるためのアプリケーションプログラム１４０ａが格納されており、コンピュータが当該可搬型記録媒体１４０から本発明に係るアプリケーションプログラム１４０ａを読み出し、当該アプリケーションプログラム１４０ａをハードディスク１１０ｄにインストールすることが可能である。なお、図２は、当該アプリケーションプログラム１４０ａがハードディスク１１０ｄにインストールされた状態を示している。
【００３３】
なお、前記アプリケーションプログラム１４０ａは、可搬型記録媒体１４０によって提供されるのみならず、電気通信回線（有線、無線を問わない）によってコンピュータと通信可能に接続された外部の機器から前記電気通信回線を通じて提供することも可能である。例えば、前記アプリケーションプログラム１４０ａがインターネット上のサーバコンピュータのハードディスク内に格納されており、このサーバコンピュータに管理装置３−Ａがアクセスして、当該コンピュータプログラムをダウンロードし、これをハードディスク１１０ｄにインストールすることも可能である。
また、ハードディスク１１０ｄには、例えば米マイクロソフト社が製造販売するＷｉｎｄｏｗｓ（登録商標）等のグラフィカルユーザインタフェース環境を提供するオペレーティングシステムがインストールされている。以下の説明においては、本実施形態に係るアプリケーションプログラム１４０ａは当該オペレーティングシステム上で動作するものとしている。
さらに、ハードディスク１１０ｄには、測定可能項目リスト１５０、オーダリスト１６０、および他施設情報データベース１７０が記憶される。
【００３４】
入出力インタフェース１１０ｆは、例えばＵＳＢ、ＩＥＥＥ１３９４、ＲＳ−２３２Ｃ等のシリアルインタフェース、ＳＣＳＩ、ＩＤＥ、ＩＥＥＥ１２８４等のパラレルインタフェース、およびＤ／Ａ変換器、Ａ／Ｄ変換器等からなるアナログインタフェース等から構成されている。入出力インタフェース１１０ｆには、キーボードおよびマウスからなる入力デバイス１３０が接続されており、操作者が当該入力デバイス１３０を使用することにより、管理装置３−Ａにデータを入力することが可能である。
通信インタフェース１１０ｊは、例えばEthernet（登録商標）インタフェースであり、管理装置３−Ａは、当該通信インタフェース１１０ｊにより、所定の通信プロトコルを使用してネットワークＮＷを介して接続された管理装置３−Ｂおよび３−Ｃ、各種分析装置などとの間でデータの送受信が可能である。
画像出力インタフェース１１０ｈは、ＬＣＤまたはＣＲＴ等で構成されたディスプレイ１２０に接続されており、ＣＰＵ１１０ａから与えられた画像データに応じた映像信号をディスプレイ１２０に出力するようになっている。ディスプレイ１２０は、入力された映像信号にしたがって、画像（画面）を表示する。
なお、管理装置３−Ｂおよび管理装置３−Ｃは、管理装置３−Ａと同様の構成を備えるので説明を省略する。
【００３５】
図３を使用して、血球計数装置５−Ａのハードウェア構成を説明する。血球計数装置５−Ａは、制御部５１、検体ＩＤ読取部５２、検体到着確認部５３、試料吸引部５４、試料調製部５５、検出部５６、および通信インタフェース６０を備える。制御部５１は、ＣＰＵ，ＲＯＭ，ＲＡＭ等から構成されており、検体ＩＤ読取部５２、検体到着確認部５３、試料吸引部５４、試料調製部５５、検出部５６、および通信インタフェース６０に接続されている。また、制御部５１は、後述する検体測定処理プログラムを記憶しており、各部の動作制御、検出部で得られる検出データに基づく測定結果の算出、および測定結果の管理装置３−Ａへの送信などの処理を行う。
【００３６】
検体ＩＤ読取部５２は、バーコードリーダを備え、搬送装置１０−Ａによって血球計数装置５−Ａの前に搬送された検体容器に貼付されたバーコードから検体ＩＤを読み取る。なお、当該バーコードは、病院情報管理システム１−Ａから送信される測定オーダに含まれている検体番号を示すものであり、搬送装置１０−Ａによる検体容器の搬送に先立ち、検体容器に貼付される。
検体到着確認部５３は、検体容器の有無を判断するためのセンサ（例えば、反射式の光学センサ）を備え、前記バーコードリーダによるバーコードの読取位置や、試料吸引部５４による検体の吸引位置に検体容器が有るか否かを検出する。
試料吸引部５４は、ピペットやポンプなどを備え、検体容器から検体を吸引し、試料調製部５５に供給する。
試料調製部５５は、検体と試薬とを混合する混合容器や、検体および試薬を混合容器に供給するためのポンプなどを備え、検体に希釈、溶血などの処理を施し、検出用試料を調製する。
【００３７】
検出部５６は、白血球検出部５９、赤血球検出部５８、およびＨＧＢ検出部５７を備える。白血球検出部５９は、フローサイトメータを備え、検出用試料から白血球を検出し、白血球検出データを制御部５１に送信する。赤血球検出部５８は、電気抵抗式の検出部であり、検出用試料から赤血球および血小板を検出し、赤血球検出データを制御部５１に送信する。ＨＧＢ検出部５７は、ヘモグロビンを検出するための光源、受光部、およびセルを備え、ヘモグロビン検出データを制御部５１に送信する。
制御部５１は、検出部５６から送信される検出データ（白血球検出データ、赤血球検出データ、およびヘモグロビン検出データ）を受信し、白血球数、赤血球数、血小板数、ヘモグロビン量などの測定結果を算出する。算出された測定結果は、通信インタフェース６０を介して管理装置３−Ａに送信される。
通信インタフェース６０は、所定の通信プロトコルを使用して、管理装置３−Ａとの間でデータの送受信が可能である。
なお、血液凝固測定装置６−Ａ、免疫測定装置７−Ａ、生化学測定装置８−Ａ、および、尿分析装置９−Ａは、血球計数装置５−Ａと同様に、制御部、検体ＩＤ読取部、検体到着確認部、試料吸引部、試料調製部、検出部、および通信インタフェースを備える。
【００３８】
図４から図７のフローチャートを使用して、病院Ｂに配置された病院情報管理システム１−Ｂが測定オーダを受け付けてから、測定結果を受信するまでの流れを示す。
病院Ｂの医師が、病院情報管理システム１−Ｂを操作し、測定オーダを入力すると、オーダ送信・測定結果受信処理が開始される。まず、病院情報管理システム１−Ｂは、測定オーダの入力を受け付け、記憶する処理を実行する（ステップＳ１０）。
図８は、病院情報管理システム１−Ｂに記憶された測定オーダの一例を示す。図８に示す例では、測定オーダは、患者名として「ＡＢＣ」を、患者「ＡＢＣ」を特定するための患者ＩＤとして「１００」を、患者「ＡＢＣ」から採取された検体を特定するための検体番号として「００１」「００２」「００３」を（この場合、患者「ＡＢＣ」から採取された検体は３検体ある）、検体番号「００１」の検体の測定項目として「ＷＢＣ」「ＲＢＣ」「ＨＧＢ」を、検体番号「００２」の検体の測定項目として「ＨＣＶ Ａｂ」「ＨＢＶ Ａｂ」を、検体番号「００３」の検体の測定項目として「ＨＤＬ」「ＬＤＬ」を含んでいる。なお、検体番号「００１」の検体の測定項目である「ＷＢＣ」「ＲＢＣ」「ＨＧＢ」は、血球計数装置で測定可能であり、検体番号「００２」の検体の測定項目である「ＨＣＶ Ａｂ」「ＨＢＶ Ａｂ」は、免疫測定装置で測定可能であり、検体番号「００３」の検体の測定項目である「ＨＤＬ」「ＬＤＬ」は、生化学測定装置で測定可能である。また、「ＨＣＶ Ａｂ」は、ＨＣＶ抗体を示し、「ＨＢＶ Ａｂ」は、ＨＢＶ抗体を示す。
【００３９】
次に、病院情報管理システム１−Ｂは、測定オーダを、検査室情報管理システム２−Ｂに送信する処理を実行する（ステップＳ１１）。
検査室情報管理システム２−Ｂは、オーダ・測定結果送受信処理を実行しており、ステップＳ２０において、病院情報管理システム１−Ｂから測定オーダを受信するのを待機する。検査室情報管理システム２−Ｂは、測定オーダを受信すると（ステップＳ２０においてＹｅｓ）、受信した測定オーダを管理装置３−Ｂに送信する処理を実行する（ステップＳ２１）。
【００４０】
管理装置３−Ｂは、自施設検体処理を実行している。この自施設検体処理は、図２に示した自施設検体処理プログラム１４１によって実行される。
まず、管理装置３−Ｂは、ステップＳ３０において、検査室情報管理システム２−Ｂから測定オーダを受信するのを待機する。
次に、管理装置３−Ｂは、ステップＳ３０で受信した測定オーダに含まれる測定項目の全てが病院Ｂで測定可能か否かを判断する（ステップＳ３１）。図９は、管理装置３−Ｂに記憶されている測定可能項目リスト１５０（図２参照）の内容を示す図である。この図に示すように、測定可能項目リスト１５０には、分析装置として、「血球計数装置」「血液凝固測定装置」「生化学測定装置」および「尿分析装置」が含まれ、「血球計数装置」の測定項目として、「ＷＢＣ」「ＲＢＣ」「ＰＬＴ」「ＨＧＢ」が含まれ、「血液凝固測定装置」の測定項目として、「ＰＴ」「ＡＰＴＴ」が含まれ、「生化学測定装置」の測定項目として、「ＡＳＴ」「ＡＬＴ」「ＨＤＬ」「ＬＤＬ」が含まれ、「尿分析装置」の測定項目として、「沈査（ＲＢＣ，ＷＢＣ，ＣＡＳＴ等）」が含まれている。この測定可能項目リスト１５０は、病院Ｂには、「血球計数装置」「血液凝固測定装置」「生化学測定装置」および「尿分析装置」が配置され、その結果、「ＷＢＣ」「ＲＢＣ」「ＰＬＴ」「ＨＧＢ」「ＰＴ」「ＡＰＴＴ」「ＡＳＴ」「ＡＬＴ」「ＨＤＬ」「ＬＤＬ」「沈査」が測定可能であることに基づいて作成されている。なお、各分析装置に対する測定項目は実際にはもっと多いが、ここでは説明を簡単にするために上記の測定項目のみを挙げている。
【００４１】
この例において、管理装置３−Ｂは、ステップＳ３１において、図８に示す測定オーダに含まれる全ての測定項目、すなわち、「ＷＢＣ」「ＲＢＣ」「ＨＧＢ」「ＨＣＶ Ａｂ」「ＨＢＶ Ａｂ」「ＨＤＬ」「ＬＤＬ」の全てが、測定可能項目リスト１５０に含まれているか否かを判断する。この例の場合、「ＨＣＶ Ａｂ」および「ＨＢＶ Ａｂ」は測定可能項目リスト１５０に含まれていないため、ステップＳ３０で受信した測定オーダに含まれる測定項目の全てを病院Ｂで測定することはできないと判断される。
ステップＳ３０で受信した測定オーダに含まれる測定項目の全てを病院Ｂで測定することができると判断された場合（ステップＳ３１においてＹｅｓ）、処理はステップＳ３２に進む。
一方、この例のように、ステップＳ３０で受信した測定オーダに含まれる測定項目の全てを病院Ｂで測定することはできない（ステップＳ３１においてＮｏ）と判断された場合、処理はステップＳ３３に進む。
【００４２】
図７を使用して、ステップＳ３３の検体送付処理の内容を説明する。管理装置３−Ｂは、ステップＳ３３−１において、測定不能検体の抽出処理を実行する。この処理において、測定可能項目リスト１５０に含まれていない測定項目を有する検体の検体番号、例えば、図８に示す例では、検体番号「００２」が抽出される。
次に、管理装置３−Ｂは、ステップＳ３３−２において、検体送付先を決定する。すなわち、ステップＳ３３−２で抽出した検体の測定が可能な施設を決定する。図１０は、他施設情報ＤＢ１７０の内容を示す図である。この図に示すように、他施設情報ＤＢ１７０には、病院名、その病院の所在地情報、その病院に設置されている分析装置、および、それぞれの分析装置が測定可能な測定項目が、対応付けられて記憶されている。そして、ステップＳ３３−１で抽出された検体番号の測定項目が、他施設情報ＤＢ１７０に含まれているか否かを判断することにより、検体の測定が可能な施設が決定される。管理装置３−Ｂをこのように構成することにより、検査を依頼する施設を自動的に決定することができるので、検査技師が検査を依頼する施設を決定する必要がなくなり、他の施設への検査の依頼業務が効率化される。
なお、例えば、図８に示す測定オーダの例では、検体番号「００２」（すなわち、測定項目「ＨＣＶ Ａｂ」および「ＨＢＶ Ａｂ」）は、病院Ａでも病院Ｃでも測定可能である。この場合、所定のルールに従って検体送付先を選択する。このルールは、特に限定されないが、例えば、病院Ｂから近い方の病院を選択するようにすれば、その病院に検体が届くまでの時間が短くてすむ。
【００４３】
次に、管理装置３−Ｂは、ステップＳ３３−３において、他施設（病院Ａまたは病院Ｃ）に送付する測定オーダを作成する。図１１は、病院Ａに送付する測定オーダの例を示している。すなわち、ステップＳ３３−３においては、ステップＳ３３−１で抽出された検体番号「００２」と、その測定項目「ＨＣＶ Ａｂ」「ＨＢＶ Ａｂ」とが、測定オーダ１８０として作成される。
次に、管理装置３−Ｂは、ステップＳ３３−４において、測定オーダ１８０を、病院Ａに配置されている管理装置３−Ａに、ネットワークＮＷを介して送信する。
【００４４】
また、管理装置３−Ｂは、ステップＳ３３−５において、表示・印字画面を作成する。図１２は、ステップＳ３３−５において作成される表示画面および印字画面の一例である。この図に示すように、表示画面および印字画面１９０は、検体の送付先の病院名、その病院の所在地、送付される検体の検体番号、およびその検体の測定項目を含む。
管理装置３−Ｂは、ステップＳ３３−６において、表示画面１９０をディスプレイ１２０に表示するとともに、プリンタ４−Ｂによって印字画面１９０を印字させる。
また、管理装置３−Ｂは、ステップＳ３３−７において、病院Ａなどの他施設への送付が必要である検体番号「００２」の検体を要送付検体保管部１３−Ｂに搬送し、他施設への送付が不要である検体番号「００１」および「００３」の検体を送付不要検体保管部１２−Ｂに搬送するよう、搬送装置１０−Ｂに指示する。この指示を受け、搬送装置１０−Ｂは、検体番号「００２」の検体を要送付検体保管部１３−Ｂに搬送し、検体番号「００１」および「００３」の検体を送付不要検体保管部１２−Ｂに搬送する。
【００４５】
なお、病院Ｂのスタッフは、これらの処理の後、要送付検体保管部１３−Ｂから検体番号「００２」の検体容器をピックアップし、保冷容器などの容器に当該検体を収容し、当該容器に、ステップＳ３３−６で印字画面１９０が印字された用紙（ラベル）を貼付し、病院Ａに郵送する。このように、本システムにおいては、検体送付先を示すラベルが自動的に印字されるとともに、他施設への送付が必要な検体は自動的に仕分けされるので、検査業務を効率的に行うことが可能となる。
【００４６】
図５に戻り、ステップＳ３２の処理について説明する。
図１３は、オーダリスト１６０（図２参照）の内容を示す図である。図１３（ａ）に示すように、オーダリスト１６０は、検体番号記憶領域１６０ａと、測定項目記憶領域１６０ｂとを含む。ステップＳ３２において、管理装置３−Ｂは、ステップＳ３０で受信した測定オーダ（図８参照）のうち、検体番号（この例では、「００１」「００２」「００３」）および測定項目（この例では、「ＷＢＣ」「ＲＢＣ」「ＨＧＢ」「ＨＣＶ Ａｂ」「ＨＢＶ Ａｂ」「ＨＤＬ」「ＬＤＬ」）を、オーダリスト１６０に入力する。これにより、オーダリスト１６０には、図１３（ｂ）に示すように、検体番号「００１」に測定項目「ＷＢＣ」「ＲＢＣ」「ＨＧＢ」が、検体番号「００２」に測定項目「ＨＣＶ Ａｂ」「ＨＢＶ Ａｂ」が、検体番号「００３」に測定項目「ＨＤＬ」「ＬＤＬ」が、対応付けられて記憶される。
なお、ステップＳ３１において測定項目の全てが測定可能でないと判断された場合、ステップＳ３３−３で作成される測定オーダに含まれる検体（上記の例では、検体番号「００２」の検体）は、オーダリスト１６０への入力を省略してもよい。
【００４７】
上記した管理装置３−Ｂによる自施設検体処理と並行して、各分析装置５−Ｂから９−Ｂは、検体測定処理を実行する。この処理は、制御部５１に記憶されている検体測定処理プログラムによる実行される。図５は、一例として、血球計数装置５−Ｂによる検体測定処理の内容を示している。
血球計数装置５−Ｂの制御部５１は、ステップＳ５０において、検体到着を確認する処理を実行する。具体的には、検体ＩＤ読取部５２によるバーコード読み取り位置まで、搬送装置１０−Ｂによって検体が搬送されたことを、検体到着確認部５３に含まれるセンサが検知するのを待機する処理が実行される。
検体到着が確認されると（ステップＳ５０においてＹｅｓ）、制御部５１は、ステップＳ５１において、バーコード読取処理を実行する。具体的には、検体ＩＤ読取部５２に含まれるバーコードリーダによって検体容器に貼付されたバーコードから検体番号を読み取る処理が実行される。
次に、制御部５１は、ステップＳ５２において、ステップＳ５１で読み取った検体番号が、ステップＳ３２で作成されたオーダリスト１６０に含まれているか否かを、管理装置３−Ｂに問い合わせる処理を実行する。
【００４８】
ステップＳ５２の問い合わせの結果、検体番号がオーダリスト１６０に含まれていると判断されると（ステップＳ５３においてＹｅｓ）、制御部５1は、ステップＳ５４において測定処理を実行する。この処理において、試料吸引部５４によって検体容器から検体が吸引され、試料調製部５５によって検出用試料が調製され、検出部５６によって、白血球（ＷＢＣ）、赤血球（ＲＢＣ）、およびヘモグロビン（ＨＧＢ）が検出され、検出データが制御部５１に送信され、制御部５１によって、ＷＢＣ、ＲＢＣ、およびＨＧＢの測定結果が算出される。
そして、制御部５１は、ステップＳ５５において、ステップＳ５４で算出されたＷＢＣ、ＲＢＣ、およびＨＧＢの測定結果を管理装置３−Ｂに送信し、この検体に対する検体測定処理を終了する。
一方、ステップＳ５２の問い合わせの結果、検体番号がオーダリスト１６０に含まれていないと判断されると（ステップＳ５３においてＮｏ）、測定処理を実行することなく、この検体に対する検体測定処理は終了する。
【００４９】
次に、管理装置３−Ｂから検体の測定オーダの送信を受けた管理装置３−Ａによる他施設検体処理について、図６を使用して説明する。この処理は、管理装置３−Ａに記憶されている他施設検体処理プログラム１４２によって実行される。
管理装置３−Ａは、ステップＳ３００において、他施設（上記例の場合、病院Ｂ）から測定オーダ１８０を受信するのを待機する処理を実行する。
他施設から測定オーダ１８０を受信すると（ステップＳ３００においてＹｅｓ）、管理装置３−Ａは、管理装置３−Ａのオーダリスト１６０（以下、管理装置３−Ｂのオーダリスト１６０と区別するため、このオーダリストを１６０Ａとする）へのデータ入力処理を実行する。この処理において、上記の例では、測定オーダ１８０（図１１参照）に含まれる検体番号「００２」および測定項目「ＨＣＶ Ａｂ」［ＨＢＶ Ａｂ］が、オーダリスト１６０Ａに入力される。図１３（ｃ）は、これらの情報が入力されたオーダリスト１６０Ａの内容を示している。
【００５０】
上記した管理装置３−Ａによる他施設検体処理と並行して、各分析装置５−Ｂから９−Ｂは、検体測定処理を実行する。図６は、免疫測定装置７−Ａによる検体測定処理の内容を示している。
免疫測定装置７−Ａの制御部５１は、ステップＳ７００において、検体到着を確認する処理を実行する。具体的には、検体ＩＤ読取部５２によるバーコード読み取り位置まで、搬送装置１０−Ａによって検体が搬送されたことを、検体到着確認部５３に含まれるセンサが検知するのを待機する処理が実行される。なお、この検体は、上記の例では、病院Ｂから郵送された検体番号「００２」の検体である。
検体到着が確認されると（ステップＳ７００においてＹｅｓ）、制御部５１は、ステップＳ７０１において、バーコード読取処理を実行する。具体的には、検体ＩＤ読取部５２に含まれるバーコードリーダによって検体容器に貼付されたバーコードから検体番号を読み取る処理が実行される。
【００５１】
次に、制御部５１は、ステップＳ７０２において、ステップＳ７０１で読み取った検体番号が、ステップＳ３０１で作成されたオーダリスト１６０Ａに含まれているか否かを、管理装置３−Ａに問い合わせる処理を実行する。
ステップＳ７０２の問い合わせの結果、検体番号がオーダリスト１６０Ａに含まれていると判断されると（ステップＳ７０３においてＹｅｓ）、制御部５1は、ステップＳ７０４において測定処理を実行する。この処理において、試料吸引部５４によって検体容器から検体が吸引され、試料調製部５５によって検出用試料が調製され、検出部５６によって、ＨＣＶ抗体（ＨＣＶ Ａｂ）およびＨＢＶ抗体（ＨＢＶ Ａｂ）が検出され、検出結果が制御部５１に送信され、制御部５１によって、ＨＣＶ ＡｂおよびＨＢＶ Ａｂの測定結果が算出される。
そして、制御部５１は、ステップＳ７０５において、ステップＳ７０４で算出されたＨＣＶ ＡｂおよびＨＢＶ Ａｂの測定結果を管理装置３−Ａに送信し、この検体に対する検体測定処理を終了する。
一方、ステップＳ７０２の問い合わせの結果、検体番号がオーダリスト１６０Ａに含まれていないと判断されると（ステップＳ７０３においてＮｏ）、測定処理を実行することなく、この検体に対する検体測定処理は終了する。
【００５２】
また、管理装置３−Ａは、ステップＳ３０２において、オーダリスト１６０Ａに含まれる測定項目の測定結果を、分析装置から受信するのを待機する処理を実行する。上記の例では、オーダリスト１６０Ａには、「ＨＣＶ Ａｂ」および「ＨＢＶ Ａｂ」が含まれているので、これらの測定結果の受信を待機する。
次に、管理装置３−Ａは、ステップＳ３０３において、測定結果を、管理装置３−Ｂに送信するため、再検要否のチェック、測定結果のバリデーション、および、データフォーマットの変換などの測定結果処理を実行する。そして、管理装置３−Ａは、ステップＳ３０４において、測定結果（上記の例では、検体番号「００２」の検体の「ＨＣＶ Ａｂ」および「ＨＢＶ Ａｂ」についての測定結果）を、管理装置３−Ｂに送信する。
なお、管理装置３−Ａは、例えばステップＳ３０３の処理の後に、測定した測定項目に応じた検査料を病院Ｂに請求するための請求書を電子データで作成し、その請求書を、管理装置３−Ｂに、ネットワークＮＷを介して送信してもよい。これにより、検査料の請求業務を効率化することが可能となる。
【００５３】
一方、管理装置３−Ｂは、ステップＳ３４において、オーダリスト１６０に含まれる測定項目の全てについての測定結果を、分析装置５−Ｂから９−Ｂおよび管理装置３−Ａから受信するのを待機する処理を実行する。
管理装置３−Ｂは、オーダリスト１６０に含まれる測定項目の全て（上記の例では、「ＷＢＣ」「ＲＢＣ」「ＨＧＢ」「ＨＣＶ Ａｂ」「ＨＢＶ Ａｂ」「ＨＤＬ」「ＬＤＬ」）についての測定結果を受信すると（ステップＳ３４においてＹｅｓ）、ステップＳ３５において、オーダリスト１６０から、測定結果を受信済みの測定項目およびそれに対応する検体番号を削除する処理を実行する。
次に、管理装置３−Ｂは、ステップＳ３６において、測定結果を、検査室情報管理システム２−Ｂに送信するため、再検要否のチェック、測定結果のバリデーション、および、データフォーマットの変換などの測定結果処理を実行する。
そして、管理装置３−Ｂは、ステップＳ３７において、測定結果（上記の例では、検体番号「００１」の検体の「ＷＢＣ」「ＲＢＣ」「ＨＧＢ」、検体番号「００２」の検体の「ＨＣＶ Ａｂ」「ＨＢＶ Ａｂ」、検体番号「００３」の検体の「ＨＤＬ」「ＬＤＬ」についての測定結果）を、検査室情報管理システム２−Ｂに送信する。
【００５４】
また、検査室情報管理システム２−Ｂは、ステップＳ２２において（図４参照）、管理装置３−Ｂから測定結果を受信するのを待機し、受信すると（ステップＳ２２においてＹｅｓ）、ステップＳ２３において、その測定結果を病院情報管理システム１−Ｂに送信する。
また、病院情報管理システム１−Ｂは、ステップＳ１２において、検査室情報管理システム２−Ｂから測定結果を受信するのを待機し、受信すると（ステップＳ１２においてＹｅｓ）、オーダ送信・測定結果受信処理を終了する。
上記実施形態による測定結果管理システムによれば、測定オーダに含まれる測定項目の測定結果は、自施設で全ての測定項目を測定することが不可能な場合であっても、病院Ｂの検査技師等が、他施設への検査依頼のためのデータ入力処理や、他施設から入手した測定結果の管理装置へのデータ入力を行うことなく、病院情報管理システム１−Ｂに報告される。
【００５５】
なお、上記の実施形態では、３つの病院（施設）に管理装置が配置されている例を示したが、これらの施設の数は複数であればよく、限定されない。また、これらの施設の一部または全部が検査センターであってもよい。
また、上記の実施形態では、他施設での測定が必要な検体（上記の例では検体番号「００２」の検体）のみを送付するようにしているが、本発明はこれには限られず、他施設での測定が必要な検体を採取した患者の全ての検体（上記の例では検体番号「００１」「００２」「００３」の検体を当該他施設に送付するようにしてもよい。
【００５６】
また、上記の実施形態では、病院内には、病院情報管理システム、検査室情報管理システム、および、管理装置が配置されているが、本発明はこれには限られず、管理装置の機能を検査室情報管理システムに持たせてもよいし（この場合、管理装置の機能を持った検査室情報管理システムが本発明の一実施形態となる）、病院情報管理システムと検査室情報管理システムとを統合し、さらに、管理装置の機能を、当該統合されたシステムに持たせてもよい。
【００５７】
また、上記の実施形態では、管理装置には、分析装置５−Ａから９−Ａのうち全部または一部が接続されているが、管理装置に接続される分析装置の種類および数は限定されない。
また、上記の実施形態では、自施設にない分析装置での測定を他施設に依頼するようにしているが、本発明はこれには限られず、自施設の分析装置が故障した場合に、自動的に他施設に測定を依頼することができる測定結果管理システムに本発明を適用してもよい。このような測定結果管理システムは、例えば、測定可能項目リスト１５０を編集可能とし、自施設内の分析装置が故障した場合、当該分析装置およびその分析装置による測定項目を測定可能項目リスト１５０から削除することにより実現できる。これらのデータの削除は、測定結果管理システムの使用者により行ってもよいし、故障した分析装置からの情報に基づき、自動的に行ってもよい。
【００５８】
また、上記の実施形態では、３つの管理装置が、ネットワークＮＷを介して接続されているが、本発明はこれには限られず、管理装置と、病院情報管理システムまたは検査情報管理システムと、がネットワークＮＷを介して接続されていてもよい。この場合、測定オーダおよび測定結果は、病院情報管理システムまたは検査情報管理システムを介して、管理装置から他の管理装置へと送信される。
また、上記の実施形態では、プリンタ４−Ｂが印字画面１９０をラベルに印刷し、当該ラベルが、病院Ｂのスタッフにより検体を収容する容器に貼付されているが、本発明はこれには限られず、プリンタ４−Ｂは、検体を収容する容器（例えば、検体を収容する封筒）に直接、印字画面１９０を印刷してもよい。
【００５９】
また、上記の実施形態では、管理装置３−Ｂは、ステップＳ３４において、オーダリスト１６０に含まれる測定項目の全てについての測定結果を受信するのを待機しているが、本発明はこれに限られず、所定の測定項目を受信する毎に、測定結果を検査情報管理システムに送信するようにしてもよい。例えば、上記の例では、病院Ｂで測定される測定項目（「ＷＢＣ」「ＲＢＣ」「ＨＧＢ」「ＨＤＬ」「ＬＤＬ」）の測定結果を分析装置から受信した時点で、これらの測定結果を検査情報管理システム２−Ｂに送信し、その後、管理装置３−Ａから測定項目（「ＨＣＶ Ａｂ」「ＨＢＶ Ａｂ」）の測定結果を受け取った時点で、これらの測定結果を検査情報管理システム２−Ｂに送信してもよい。
【００６０】
また、上記の実施形態では、管理装置は、自施設検体処理プログラム１４１および他施設検体処理プログラム１４２の両方を備えているが、本発明はこれに限られず、いずれか一方のみを備えていてもよい。例えば、病院Ｂの管理装置３−Ｂが自施設検体処理プログラム１４１のみ備えており、病院Ａの管理装置３−Ａが他施設検体処理プログラム１４２のみ備えていれば、上記した検体測定は可能である。
また、上記の実施形態では、管理装置は、ステップＳ３３−２において検査を依頼する病院を決定しているが、本発明はこれに限られず、検査を依頼する病院を予め決定しておき、ステップＳ３３−４において、測定オーダを必ずその病院に送信することにより、ステップＳ３３−２の処理を省略してもよい。
【産業上の利用可能性】
【００６１】
本発明によれば、検査を他の施設に依頼する場合の検査技師の負担を軽減させることができる測定結果管理方法、測定結果管理システム、および測定結果管理装置が提供される。
【図面の簡単な説明】
【００６２】
【図１】本発明の一実施の形態に係る測定結果管理装置の配置例を示す図である。
【図２】管理装置３−Ａのハードウェア構成図である。
【図３】血球計数装置５−Ａのハードウェア構成図である。
【図４】病院情報管理システム１−Ｂが測定オーダを受け付けてから、測定結果を受信するまでの流れを示すフローチャートの一部である。
【図５】病院情報管理システム１−Ｂが測定オーダを受け付けてから、測定結果を受信するまでの流れを示すフローチャートの一部である。
【図６】病院情報管理システム１−Ｂが測定オーダを受け付けてから、測定結果を受信するまでの流れを示すフローチャートの一部である。
【図７】病院情報管理システム１−Ｂが測定オーダを受け付けてから、測定結果を受信するまでの流れを示すフローチャートの一部である。
【図８】病院情報管理システム１−Ｂに記憶された測定オーダの一例を示す図である。
【図９】管理装置３−Ｂに記憶されている測定可能項目リスト１５０の内容を示す図である。
【図１０】他施設情報ＤＢ１７０の内容を示す図である。
【図１１】病院Ａに送付する測定オーダの例を示す図である。
【図１２】ディスプレイ１２０に表示される表示画面およびプリンタ４−Ｂによって印字される印字画面の例を示す図である。
【図１３】オーダリスト１６０および１６０Ａの内容を示す図である。
【符号の説明】
【００６３】
１−Ａ 病院情報管理システム
２−Ａ 検査室情報管理システム
３−Ａ 測定結果管理装置
４−Ａ プリンタ
５−Ａ 血球計数装置
６−Ａ 血液凝固測定装置
７−Ａ 免疫測定装置
８−Ａ 生化学測定装置
９−Ａ 尿分析装置
１０−Ａ 搬送装置
【図１】
0005069054.tif 000002
【図２】
0005069054.tif 000003
【図３】
0005069054.tif 000004
【図４】
0005069054.tif 000005
【図５】
0005069054.tif 000006
【図６】
0005069054.tif 000007
【図７】
0005069054.tif 000008
【図８】
0005069054.tif 000009
【図９】
0005069054.tif 000010
【図１０】
0005069054.tif 000011
【図１１】
0005069054.tif 000012
【図１２】
0005069054.tif 000013
【図１３】
0005069054.tif 000014